(57)【要約】【課題】ワイヤレスローカルエリアネットワークに使用するためのターミナルを提供する。【解決手段】このターミナルは、次の情報断片、即ち、前記ターミナルが使用中に接続されるＡＰアクセスポイントのＭＡＣメディアアクセスコントロールアドレス；前記ターミナルのＭＡＣアドレス；前記ターミナルが使用中に直接的に又はＷＬＡＮアクセスポイントＡＰを経て接続される固定ラインの信号ライン識別子；及び前記ターミナルが使用中に直接的に又はＷＬＡＮアクセスポイントＡＰを経て接続される固定ラインのスイッチ又はルーターポート番号；の少なくとも１つの少なくとも一部分をアイデンティティとして使用するように構成される。【選択図】図３
2008541597.tif 000002
【特許請求の範囲】
【請求項１】
ワイヤレスローカルエリアネットワークに使用するためのターミナルにおいて、ＭＡＣメディアアクセスコントロールアドレスの少なくとも一部分をユーザアイデンティティとして使用するように構成されたターミナル。
【請求項２】
前記アドレスは、前記ターミナル、及び前記ターミナルが使用中に接続されるアクセスポイントの少なくとも一方のＭＡＣアドレスである、請求項１に記載のターミナル。
【請求項３】
ワイヤレスローカルエリアネットワークに使用するためのターミナルにおいて、このターミナルが使用中に結合される固定ラインを識別する情報の少なくとも一部分を使用するように構成されたターミナル。
【請求項４】
前記情報は、ＤＳＬライン識別子、スイッチ識別子、ルーター識別子、スイッチポート、及びルーターポートの少なくとも１つである、請求項３に記載のターミナル。
【請求項５】
前記ターミナルは、前記固定ラインに直結されるように構成される、請求項３又は４に記載のターミナル。
【請求項６】
前記ターミナルは、アクセスポイントを経て前記固定ラインに接続されるように構成される、請求項３又は４に記載のターミナル。
【請求項７】
前記アクセスポイントは、ＷＬＡＮアクセスポイントを含む、請求項６に記載のターミナル。
【請求項８】
ワイヤレスローカルエリアネットワークに使用するためのターミナルにおいて、次の情報断片、即ち、
前記ターミナルが使用中に接続されるＡＰアクセスポイントのＭＡＣメディアアクセスコントロールアドレス；
前記ターミナルのＭＡＣアドレス；
前記ターミナルが使用中に直接的に又はＷＬＡＮアクセスポイントＡＰを経て接続される固定ラインの信号ライン識別子；及び
前記ターミナルが使用中に直接的に又はＷＬＡＮアクセスポイントＡＰを経て接続される固定ラインのスイッチ又はルーターポート番号；
の少なくとも１つの少なくとも一部分をアイデンティティとして使用するように構成されたターミナル。
【請求項９】
前記ターミナルは、ＧＰＲＳターミナル、ＷＬＡＮターミナル、及び固定ブロードバンドターミナルの１つである、請求項１から８のいずれかに記載のターミナル。
【請求項１０】
前記ターミナルは、前記情報断片の少なくとも１つの前記少なくとも一部分を、アクセスポイント、固定ライン、スイッチ又はルーターの１つから得て、その情報を使用して、前記アイデンティティを決定するように構成された請求項８又は９に記載のターミナル。
【請求項１１】
請求項１から１０のいずれかに記載のターミナルと、前記ターミナルをアタッチできるネットワークとを備えたシステム。
【請求項１２】
前記ターミナルをアタッチできるアクセスポイントを備え、このアクセスポイントは、前記ネットワークに接続できる、請求項１１に記載のシステム。
【請求項１３】
前記ターミナルをアタッチできるルーター及びスイッチの少なくとも１つを備え、このルーター及びスイッチの少なくとも１つは、前記ネットワークに接続できる、請求項１１又は１２の記載のシステム。
【請求項１４】
前記ターミナルとの非常セッションを有するように構成された非常センターを更に備えた、請求項１１から１３のいずれかに記載のシステム。
【請求項１５】
ターミナルに関連したアイデンティティを使用してターミナルとのセッションを確立するように構成された非常センターにおいて、前記アイデンティティは、
前記ターミナルが使用中に接続されるＡＰアクセスポイントのＭＡＣメディアアクセスコントロールアドレス；
前記ターミナルのＭＡＣアドレス；
前記ターミナルが使用中に直接的に又はＷＬＡＮアクセスポイントＡＰを経て接続される固定ラインの信号ライン識別子；及び
前記ターミナルが使用中に直接的に又はＷＬＡＮアクセスポイントＡＰを経て接続される固定ラインのスイッチ又はルーターポート番号；
の少なくとも１つを含む、非常センター。
【請求項１６】
ターミナルに関連したアイデンティティを使用して非常セッションが確立されるターミナルから情報を要求するように構成された非常センターにおいて、前記アイデンティティは、
前記ターミナルが使用中に接続されるＡＰアクセスポイントのＭＡＣメディアアクセスコントロールアドレス；
前記ターミナルのＭＡＣアドレス；
前記ターミナルが使用中に直接的に又はＷＬＡＮアクセスポイントＡＰを経て接続される固定ラインの信号ライン識別子；及び
前記ターミナルが使用中に直接的に又はＷＬＡＮアクセスポイントＡＰを経て接続される固定ラインのスイッチ又はルーターポート番号；
の少なくとも１つを含む、非常センター。
【請求項１８】
前記情報は、ターミナルの現在位置、ルーティング経歴、及び失われた接続経歴、の少なくとも１つを含む、請求項１７に記載の非常センター。
【請求項１９】
ターミナルに関連したアイデンティティ情報を受け取り、そしてその情報を、セッションを確立すべきエンティティへ転送するように構成されたネットワークにおいて、前記情報は、
前記ターミナルが使用中に接続されるＡＰアクセスポイントのＭＡＣメディアアクセスコントロールアドレス；
前記ターミナルのＭＡＣアドレス；
前記ターミナルが使用中に直接的に又はＷＬＡＮアクセスポイントＡＰを経て接続される固定ラインの信号ライン識別子；及び
前記ターミナルが使用中に直接的に又はＷＬＡＮアクセスポイントＡＰを経て接続される固定ラインのスイッチ又はルーターポート番号；
の少なくとも１つを含む、ネットワーク。
【請求項２０】
前記ネットワークは、ＩＭＳネットワークである、請求項１９に記載のネットワーク。
【請求項２１】
前記エンティティは、非常センター及びＰＳＡＰの一方である、請求項１９又は２０に記載のネットワーク。
【請求項２２】
前記ネットワークは、前記アイデンティティに関連した情報を記憶するように構成された、請求項１９から２１のいずれかに記載のネットワーク。
【請求項２３】
前記情報は、接続経歴、脱落した接続経歴、及び位置情報の少なくとも１つを含む、請求項２２に記載のネットワーク。
【請求項２４】
ターミナルに関連したアイデンティティ情報を受け取り、そしてその情報を、セッションを確立すべきネットワークへ転送するように構成されたネットワーク要素において、前記情報は、
前記ターミナルが使用中に接続されるＡＰアクセスポイントのＭＡＣメディアアクセスコントロールアドレス；
前記ターミナルのＭＡＣアドレス；
前記ターミナルが使用中に直接的に又はＷＬＡＮアクセスポイントＡＰを経て接続される固定ラインの信号ライン識別子；及び
前記ターミナルが使用中に直接的に又はＷＬＡＮアクセスポイントＡＰを経て接続される固定ラインのスイッチ又はルーターポート番号；
の少なくとも１つを含む、ネットワーク要素。
【請求項２５】
前記ネットワーク要素は、アクセスポイント、スイッチ、ルーター、及び固定ラインの少なくとも１つを含む、請求項２４に記載のネットワーク要素。
【請求項２６】
前記ネットワーク要素は、前記ターミナルにより使用される前記情報の少なくとも一部分を与えて、前記アイデンティティ情報を与えるように構成された、請求項２４又は２５に記載のネットワーク要素。
【請求項２７】
非常セッションを確立する方法において、
ターミナルに関連したアイデンティティ情報を定義するステップであって、該情報が、
前記ターミナルが使用中に接続されるＡＰアクセスポイントのＭＡＣメディアアクセスコントロールアドレス；
前記ターミナルのＭＡＣアドレス；
前記ターミナルが使用中に直接的に又はＷＬＡＮアクセスポイントＡＰを経て接続される固定ラインの信号ライン識別子；及び
前記ターミナルが使用中に直接的に又はＷＬＡＮアクセスポイントＡＰを経て接続される固定ラインのスイッチ又はルーターポート番号；
の少なくとも１つを含むようなステップと、
セッションを確立すべきエンティティへ前記情報を転送するステップと、
を備えた方法。
【発明の詳細な説明】
【技術分野】
【０００１】
本発明は、ターミナルに係る。
【背景技術】
【０００２】
通信システムは、通信システムに関連したユーザ装置及び／又は他のノードのような２つ以上のエンティティ間で通信セッションを行えるようにするファシリティとみなすことができる。通信は、例えば、音声、データ、マルチメディア、等の通信を含む。セッションは、例えば、ユーザ間の電話コール、又は他方向会議セッション、或いはユーザ装置と、アプリケーションサーバー（ＡＳ）、例えば、サービスプロバイダーサーバーとの間の通信セッションである。これらセッションの確立は、一般に、ユーザに種々のサービスを提供できるようにする。
【０００３】
通信システムは、典型的に、通信システムに関連した種々のエンティティが何を行なうことが許されそしてそれをどのように達成すべきか規定する所与の規格又は仕様に基づいて動作する。例えば、規格又は仕様は、ユーザ、又はより詳細には、ユーザ装置に、回路交換サービス及び／又はパケット交換サービスが提供されるかどうか定義する。接続のために使用されるべき通信プロトコル及び／又はパラメータも定義される。換言すれば、システムにより通信を行なえるようにするために、通信の基礎となる「ルール」の特定セットを定義することが必要である。
【０００４】
ユーザ装置に対してワイヤレス通信を与える通信システムが知られている。ワイヤレスシステムの一例は、公衆地上移動ネットワーク（ＰＬＭＮ）であり、そして別の例は、ワイヤレスローカルエリアネットワーク（ＷＬＡＮ）である。固定ブロードバンドアクセスは、別の形式のアクセスである。
【０００５】
ここで使用する「サービス」という用語は、ユーザが希望し、必要とし、又はユーザに提供される任意のサービス又は商品を広く網羅するものと理解される。又、この用語は、優待サービスの提供も網羅するものと理解される。特に、「サービス」という用語は、これに限定されないが、インターネットプロトコルマルチメディアＩＭサービス、会議、電話、ゲーム、等を含むものと理解される。
【０００６】
通信システムに対する加入者のようなユーザにオファーされるサービスの一例は、いわゆるマルチメディアサービスである。マルチメディアサービスをオファーすることのできる幾つかの通信システムは、インターネットプロトコル（ＩＰ）マルチメディアネットワークとして知られている。ＩＰマルチメディア（ＩＭ）ファンクションは、ＩＰマルチメディアコアネットワーク（ＣＮ）サブシステム、又は簡単に、ＩＰマルチメディアサブシステム（ＩＭＳ）により提供することができる。ＩＭＳは、マルチメディアサービスを提供するための種々のネットワークエンティティを備えている。ＩＭＳサービスは、他のサービスの中でも、移動ユーザ装置間のＩＰ接続をオファーすることが意図される。
【０００７】
ＩＭＳにおけるＩＰマルチメディア接続は、将来の音声コールに益々使用されることになろう。完全音声サービスを提供できるためには、ＩＭＳは、規制要件も満足しなければならず、従って、ＩＭＳ非常セッションを実行できることが必要となる。次いで、ＩＭＳ非常セッションには、ＵＩＣＣ（ユニバーサル集積回路カード）又は（Ｕ）ＳＩＭ（ユニバーサル加入者アイデンティティモジュール）カードがなくても、或いはＵＩＣＣの使用が阻止されても（未払い勘定等のために）、非常コールの続行を許さねばならないという要求がある。
【０００８】
ターミナルにＵＩＣＣがないときには、ＩＭＳＩ（国際移動加入者アイデンティティ）が得られないが、ネットワークにおいてターミナルを識別することが依然として必要である。ＩＭＳ非常技術仕様の現在提案されているＴＲ［２３．８６７ｖ０．９．０］では、ＩＭＥＩ国際移動ステーション装置アイデンティティの少なくとも一部分が使用される。
【発明の開示】
【発明が解決しようとする課題】
【０００９】
しかしながら、ＩＭＳ非常セッションは、ＧＰＲＳ以外のＩＰ−ＣＡＮ（ＩＰ−接続性アクセスネットワーク）を経て行うことも必要である。ＷＬＡＮ（ワイヤレスローカルエリアネットワーク）及びＮＧＮ（次世代ネットワーク）アクセスについては、ＵＩＣＣが得られない場合にアイデンティティが標準化されていない。ＷＬＡＮ及びＮＧＮについては、ＧＰＲＳアクセスの場合のように使用できるターミナルのためのＩＭＥＩが存在しない。
本発明の実施形態は、これに対処することを目的とする。
【課題を解決するための手段】
【００１０】
本発明の種々の態様は、特許請求の範囲から明らかとなろう。
【発明を実施するための最良の形態】
【００１１】
本発明を良く理解するために、添付図面を参照して以下に詳細に説明する。
本発明の実施形態は、特に、ＩＭＳネットワークに係るが、これに限定されない。本発明の実施形態は、他のネットワークにも適用できる。
【００１２】
ＩＰマルチメディアネットワーク加入者のためのＩＰマルチメディアサービスをオファーするＩＰマルチメディアネットワーク４５を示した図１を参照する。ＩＰマルチメディア（ＩＭ）ファンクションは、サービスを提供するための種々のエンティティを含むコアネットワーク（ＣＮ）サブシステムにより与えることができる。
【００１３】
ベースステーション３１及び４３は、ワイヤレスインターフェイスを経て、移動ユーザ、即ち加入者の移動ユーザ装置３０及び４４へ信号を送信し及びそこから信号を受信するように構成される。対応的に、移動ユーザ装置の各々は、ワイヤレスインターフェイスを経てベースステーションへ信号を送信し及びそこから信号を受信することができる。図１に簡単に示されたように、ベースステーション３１及び４３は、異なる無線アクセスネットワーク（ＲＡＮ）に属する。図示された構成では、ユーザ装置３０、４４の各々は、ベースステーション３１及び４３に各々関連した２つのアクセスネットワークを経てＩＭＳネットワーク４５にアクセスすることができる。明瞭化のために、図１は、２つの無線アクセスネットワークのベースステーションしか示していないが、典型的な移動通信ネットワークは、通常、多数の無線アクセスネットワークを含むことが明らかであろう。
【００１４】
３Ｇ無線アクセスネットワーク（ＲＡＮ）は、通常、適当な無線ネットワークコントローラ（ＲＮＣ）によりコントロールされる。このコントローラは、明瞭化のために図示されていない。コントローラは、各ベースステーションに対して指定されてもよいし、又は複数のベースステーションをコントロールすることもできる。コントローラが個々のベースステーションに設けられる解決策や、コントローラが無線アクセスネットワークレベルで設けられて複数のベースステーションをコントロールする解決策も知られている。従って、ネットワークコントローラの名前、位置及び個数は、システムにより左右されることが明らかであろう。
【００１５】
移動ユーザは、インターネットプロトコル（ＩＰ）通信用の適当な移動装置を使用してネットワークに接続することができる。例えば、移動ユーザは、パーソナルコンピュータ（ＰＣ）、パーソナルデータアシスタント（ＰＤＡ）、移動ステーション（ＭＳ）、等によりセルラーネットワークにアクセスすることができる。以下の実施例は、移動ステーションに関して説明する。
【００１６】
当業者は、典型的な移動ステーションの特徴及びオペレーションに精通している。従って、これら特徴を詳細に説明する必要はなかろう。ユーザは、電話コールを発したり受けたりし、ネットワークからデータを受信したりネットワークへデータを送信したりし、更に、例えば、マルチメディアコンテンツを経験したりするタスクのために移動ステーションを使用することに注意すれば充分であろう。移動ステーションには、典型的に、これらタスクを遂行するためのプロセッサ及びメモリ手段が設けられる。移動ステーションは、移動通信ネットワークのベースステーションから信号をワイヤレスに受信し及びそこにワイヤレスに送信するためのアンテナ手段を備える。又、移動ステーションには、移動ユーザ装置のユーザに対して映像及び他のグラフィック情報を表示するためのディスプレイも設けられる。スピーカ手段を設けることもできる。移動ステーションのオペレーションは、コントロールボタン、音声コマンド、等の適当なユーザインターフェイスによりコントロールすることができる。
【００１７】
図１には明瞭化のため２つの移動ステーションしか示されていないが、多数の移動ステーションが同時通信できることが明らかであろう。
【００１８】
コアネットワーク（ＣＮ）エンティティは、典型的に、多数の無線アクセスネットワークを経て通信を可能にすると共に、単一の通信システムを、１つ以上の通信システム、例えば、他のセルラーシステム及び／又は固定ライン通信システムとインターフェイスするための種々のコントロールエンティティ及びゲートウェイを含む。図１において、サービングＧＰＲＳサポートノード３３、４２及びゲートウェイＧＰＲＳサポートノード３４、４０は、各々、ネットワークにおいてＧＰＲＳサービス３２、４１のサポートを与えるためのものである。
【００１９】
無線アクセスネットワークコントローラは、典型的に、適当なコアネットワークエンティティ（１つ又は複数）に接続され、例えば、サービング汎用パケット無線サービスサポートノード（ＳＧＳＮ）３３及び４２に接続されるが、これに限定されない。図示されていないが、各ＳＧＳＮは、通常、各ユーザ装置の契約に関連した情報を記憶するように構成された指定の加入者データベースにアクセスすることができる。
【００２０】
無線アクセスネットワーク内のユーザ装置は、無線ネットワークコントローラと通信することができる。無線アクセスネットワークコントローラは、適当なインターフェイス、例えば、Ｉｕインターフェイスを経て、サービングＧＰＲＳサポートノードと通信する。
【００２１】
サービングＧＰＲＳサポートノードは、次いで、通常、ＧＰＲＳバックボーンネットワーク３２、４１を経てゲートウェイＧＰＲＳサポートノードと通信する。このインターフェイスは、一般に、交換パケットデータインターフェイスである。サービングＧＰＲＳサポートノード及び／又はゲートウェイＧＰＲＳサポートノードは、ネットワークにおいてＧＰＲＳサービスのサポートを与えるためのものである。
【００２２】
ユーザ装置３０、４４は、ＧＰＲＳネットワークを経て、ＩＭＳに一般的に接続されたアプリケーションサーバーに接続することができる。
【００２３】
通信システムは、サーバーとして知られたネットワークエンティティにより取り扱われるネットワークの種々のファンクションによりユーザ装置に対してサービスを提供できるように開発されている。例えば、現在の第３世代（３Ｇ）ワイヤレスマルチメディアネットワークアーキテクチャーでは、異なるファンクションを取り扱うために多数の異なるサーバーが使用されると仮定されている。これらは、コールセッションコントロールファンクション（ＣＳＣＦ）のようなファンクションを含む。このコールセッションコントロールファンクションは、プロキシーコールセッションコントロールファンクション（Ｐ−ＣＳＣＦ）３５及び３９、質問コールセッションコントロールファンクション（Ｉ−ＣＳＣＦ）３７、並びにサービングコールセッションコントロールファンクション（Ｓ−ＣＳＣＦ）３６及び３８のような種々のカテゴリーに分割することができる。ＩＭＳシステムを経てアプリケーションサーバーにより提供されるサービスを利用したいユーザは、サービングコントロールエンティティに登録することが必要となる。サービングコールセッションコントロールファンクション（Ｓ−ＣＳＣＦ）は、３Ｇ  ＩＭＳ構成において、通信システムからのサービスを要求できるようにするためにユーザが登録することを必要とするエンティティを形成する。ＣＳＣＦは、ＵＭＴＳシステムのＩＭＳネットワークを定義することができる。
【００２４】
異なるシステムでは、同様のファンクションを異なる名前で参照することが明らかであろう。例えば、あるアプリケーションでは、ＣＳＣＦは、コール状態コントロールファンクションとして参照される。
【００２５】
本発明の実施形態は、移動ステーションのようなユーザ装置に関連して説明するが、本発明の実施形態は、他の適当な形式のユーザ装置にも適用できることが明らかであろう。本書では、ターミナルという用語は、ここに述べるユーザ装置の全ての例を網羅することが意図される。
【００２６】
又、図１にはＷＬＡＮシステム５０も示されている。ＷＬＡＮターミナル５２は、ＷＬＡＮシステム５４、特に、そのアクセスポイントに接続される。外部ネットワーク、例えば、ネットワーク４５に接続するために、ゲートウェイ５６が設けられている。このゲートウェイ５６は、ネットワーク５８のＧＧＳＮ５８に接続され、これは、上述した種々の要素に接続されるが、明瞭化のために図から省略されている。ゲートウェイ５６と５８との間の接続は、インターネット等を経て行うことができる。
【００２７】
本発明の１つの考えられる実施形態は、ターミナルが、有効なユーザアイデンティティモジュール、例えば、３ＧＰＰに述べられたＵＳＩＭファンクションを伴うＵＩＣＣカードを保持していなくても、或いはアイデンティティモジュールが何らかの理由でオペレータによる使用を阻止されたときでも、非常セッションを確立するのに使用されるＷＬＡＮターミナル又は固定のブロードバンドターミナルを有する。この技術は、適用可能な場合には、ＧＰＲＳターミナルに使用することができる。本発明の種々の実施形態を使用できるシステムが、図３に概略的に示されている。このシステムでは、ＷＬＡＮアクセス又は固定のブロードバンドアクセスを使用してデータネットワークに接続されたターミナルにＩＭＳサービスをオファーすることができる。
【００２８】
第１ターミナル２００は、ＷＬＡＮターミナルであり、ＷＬＡＮ２０２、特に、そのアクセスポイント２０４に接続される。ＷＬＡＮは、ネットワーク２０６、例えば、ＩＭＳネットワークに接続され、これは、次いで、ＰＳＡＰ（公衆サービスアタッチメントポイント）接続される。
【００２９】
第２ターミナル２１０は、ブロードバンドアクセスの一部分として設けられる固定ライン２１４に接続することができる。第２ターミナルは、ＷＬＡＮターミナルでもよいし、又は固定のブロードバンドターミナルでもよい。固定ラインへの接続は、アクセスポイント２１２を経て行われてもよいし、又は直接行われてもよい。アクセスポイントは、ＷＬＡＮの一部分でもよい。固定ライン２１４は、ネットワーク２０６に接続されてもよい。
【００３０】
第３ターミナル２１６は、アクセスポイント２１８を経て、又は直接的にスイッチ又はルーター２２０に接続することができる。ルーターは、ネットワーク２０６に接続することができる。
【００３１】
図３に示す構成は、概略的なものであり、実際には、種々の付加的な要素が、図示された異なる要素間に設けられることが明らかであろう。図３に示す単一のネットワーク２０６ではなく、異なるネットワークに異なるターミナルを接続することができる。２つ以上のネットワークが同じＰＳＡＰに接続されてもよい。又、２つ以上のＰＳＡＰが同じネットワークに接続されてもよい。
【００３２】
本発明の実施形態によれば、ターミナルは、非常セッションに使用されるべき一時的な識別子を、次の情報エレメントの少なくとも１つに基づいて生成しなければならない。
−  ターミナルが接続されるＡＰアクセスポイントのＭＡＣメディアアクセスコントロールアドレス
−  ターミナル自体のＭＡＣアドレス
−  ターミナルが直接的に又はＷＬＡＮ  ＡＰを経て接続される固定ラインのｘＤＳＬデジタル信号ライン識別子
−  ターミナルが直接的に又はＷＬＡＮ  ＡＰを経て接続される固定ラインのスイッチ又はルーターポート番号
−  前記情報エレメントの１つ以上、全情報エレメント、或いは当該情報エレメントのある部分のみを合成することにより構成された識別子
【００３３】
本発明の実施形態を以下に実施するか示す図２を参照する。ターミナル１００は、ステップＳ１において、ＩＭＳネットワーク１０２へ送信されるＳＩＰ  ＩＮＶＩＴＥにこの一時的アイデンティティを含ませねばならない。
【００３４】
ＩＭＳネットワーク１０２は、ステップＳ２において、非常セッションを適当な非常センター又は公衆サービスアタッチメントポイント（ＰＳＡＰ）１０４へ転送するときに、この識別子を使用しなければならない。
【００３５】
ステップＳ３及びＳ４において、ＰＳＡＰ／非常センター１０４は、元の非常セッションが何らかの理由で切断された場合にこの一時的なアイデンティティを使用して、新たな非常セッションを開始し、換言すれば、同じターミナルとの非常セッションを再確立することができる。特に、ＰＳＡＰは、一時的なアイデンティティを含むメッセージをＩＭＳネットワークに送信する。この一時的なアイデンティティに基づいて、ＩＭＳネットワークは、ステップＳ４において、ターミナルとの接続を確立することができる。
【００３６】
又、ＰＳＡＰ／非常センターは、例えば、ステップＳ５において、一時的識別子を使用して、ターミナルに関する更なる情報をＩＭＳから（及びアクセスネットワークから）要求することができる。このような情報は、例えば、ターミナルの現在位置に関するものでもよいし、或いはこのターミナルに関して、例えば、ルート経歴又は失われた接続経歴に関してＩＭＳが記憶することのできる経歴データでもよい。この情報は、ステップＳ６において、ＩＭＳネットワークによりＰＳＡＰへ返送することができる。
【００３７】
ステップＳ３及びＳ４は、ＰＳＡＰ１０４により接続を確立する必要がある場合にのみ要求され、従って、これらのステップは、図２に示すものだけでなく、適当な時間に実施されてもよいことが明らかであろう。
【００３８】
同様に、ステップＳ５及びＳ６は、ＰＳＡＰがある情報を要求する場合にのみ実施される。これらステップのタイミングは、変化してもよく、図２に示すものだけでなくてもよい。多数の要求がＰＡＳＰにより異なる時間に送信されてもよいことが明らかであろう。要求された情報は、ＩＭＳにより、１つ以上の応答において返送することができる。同様に、ＰＳＡＰは、１つの要求を送信し、そしてその１つの要求に応答してＩＭＳから１つ以上の応答を受け取ることができる。
【００３９】
本発明のある実施形態では、ＩＭＳは、ＰＳＡＰからの要求に応答して、ターミナルそれ自体又は異なるエンティティに要求を送信し、要求された情報を得て、ＰＳＡＰへ応答することができる。
【００４０】
下位レイヤのルーティング識別子を使用して、コールを発するユーザを識別するときには、レイヤ構成モデルをある程度ブレークする。というのは、下位レイヤのアイデンティティが、上位レイヤの識別子又はターミナル識別子の一部分として使用されるからである。その利点は、この形式の情報が、通常、ターミナルにおいて入手でき、ターミナルが、これら情報エレメントを使用して、グローバルに独特なものとなる見込みが高い一時的なアイデンティティを構成できることである。
【００４１】
本発明の一実施形態において、ターミナルのＩＰアドレスは、少なくとも一部分使用されてもよいし、その全体を組み合せて使用されてもよいし、又はそれ自身で使用されてもよい。
【００４２】
以上、本発明の実施形態を説明したが、特許請求の範囲に規定された本発明の範囲から逸脱せずに、ここに開示した解決策に対して多数の変更や修正がなされ得ることに注意されたい。
【図面の簡単な説明】
【００４３】
【図１】本発明を実施できる通信システムを示す図である。
【図２】本発明の実施形態における信号の流れを示す図である。
【図３】本発明の実施形態を使用できるシナリオを示す図である。
【図１】
2008541597.tif 000003
【図２】
2008541597.tif 000004
【図３】
2008541597.tif 000005
【手続補正書】
【提出日】平成19年11月30日(2007.11.30)
【手続補正１】
【補正対象書類名】特許請求の範囲
【補正対象項目名】全文
【補正方法】変更
【補正の内容】
【特許請求の範囲】
【請求項１】
ワイヤレスローカルエリアネットワークに使用するためのターミナルにおいて、ＭＡＣメディアアクセスコントロールアドレスの少なくとも一部分をユーザアイデンティティとして使用するように構成されたターミナル。
【請求項２】
前記アドレスは、前記ターミナル、及び前記ターミナルが使用中に接続されるアクセスポイントの少なくとも一方のＭＡＣアドレスである、請求項１に記載のターミナル。
【請求項３】
ワイヤレスローカルエリアネットワークに使用するためのターミナルにおいて、このターミナルが使用中に結合される固定ラインを識別する情報の少なくとも一部分を使用するように構成されたターミナル。
【請求項４】
前記情報は、ＤＳＬライン識別子、スイッチ識別子、ルーター識別子、スイッチポート、及びルーターポートの少なくとも１つである、請求項３に記載のターミナル。
【請求項５】
前記ターミナルは、前記固定ラインに直結されるように構成される、請求項３又は４に記載のターミナル。
【請求項６】
前記ターミナルは、アクセスポイントを経て前記固定ラインに接続されるように構成される、請求項３又は４に記載のターミナル。
【請求項７】
前記アクセスポイントは、ＷＬＡＮアクセスポイントを含む、請求項６に記載のターミナル。
【請求項８】
ワイヤレスローカルエリアネットワークに使用するためのターミナルにおいて、次の情報断片、即ち、
前記ターミナルが使用中に接続されるＡＰアクセスポイントのＭＡＣメディアアクセスコントロールアドレス；
前記ターミナルのＭＡＣアドレス；
前記ターミナルが使用中に直接的に又はＷＬＡＮアクセスポイントＡＰを経て接続される固定ラインの信号ライン識別子；及び
前記ターミナルが使用中に直接的に又はＷＬＡＮアクセスポイントＡＰを経て接続される固定ラインのスイッチ又はルーターポート番号；
の少なくとも１つの少なくとも一部分をアイデンティティとして使用するように構成されたターミナル。
【請求項９】
前記ターミナルは、ＧＰＲＳターミナル、ＷＬＡＮターミナル、及び固定ブロードバンドターミナルの１つである、請求項１から８のいずれかに記載のターミナル。
【請求項１０】
前記ターミナルは、前記情報断片の少なくとも１つの前記少なくとも一部分を、アクセスポイント、固定ライン、スイッチ又はルーターの１つから得て、その情報を使用して、前記アイデンティティを決定するように構成された請求項８又は９に記載のターミナル。
【請求項１１】
請求項１から１０のいずれかに記載のターミナルと、前記ターミナルをアタッチできるネットワークとを備えたシステム。
【請求項１２】
前記ターミナルをアタッチできるアクセスポイントを備え、このアクセスポイントは、前記ネットワークに接続できる、請求項１１に記載のシステム。
【請求項１３】
前記ターミナルをアタッチできるルーター及びスイッチの少なくとも１つを備え、このルーター及びスイッチの少なくとも１つは、前記ネットワークに接続できる、請求項１１又は１２の記載のシステム。
【請求項１４】
前記ターミナルとの非常セッションを有するように構成された非常センターを更に備えた、請求項１１から１３のいずれかに記載のシステム。
【請求項１５】
ターミナルに関連したアイデンティティを使用してターミナルとのセッションを確立するように構成された非常センターにおいて、前記アイデンティティは、
前記ターミナルが使用中に接続されるＡＰアクセスポイントのＭＡＣメディアアクセスコントロールアドレス；
前記ターミナルのＭＡＣアドレス；
前記ターミナルが使用中に直接的に又はＷＬＡＮアクセスポイントＡＰを経て接続される固定ラインの信号ライン識別子；及び
前記ターミナルが使用中に直接的に又はＷＬＡＮアクセスポイントＡＰを経て接続される固定ラインのスイッチ又はルーターポート番号；
の少なくとも１つを含む、非常センター。
【請求項１６】
ターミナルに関連したアイデンティティを使用して非常セッションが確立されるターミナルから情報を要求するように構成された非常センターにおいて、前記アイデンティティは、
前記ターミナルが使用中に接続されるＡＰアクセスポイントのＭＡＣメディアアクセスコントロールアドレス；
前記ターミナルのＭＡＣアドレス；
前記ターミナルが使用中に直接的に又はＷＬＡＮアクセスポイントＡＰを経て接続される固定ラインの信号ライン識別子；及び
前記ターミナルが使用中に直接的に又はＷＬＡＮアクセスポイントＡＰを経て接続される固定ラインのスイッチ又はルーターポート番号；
の少なくとも１つを含む、非常センター。
【請求項１７】
前記情報は、ターミナルの現在位置、ルーティング経歴、及び失われた接続経歴、の少なくとも１つを含む、請求項１６に記載の非常センター。
【請求項１８】
ターミナルに関連したアイデンティティ情報を受け取り、そしてその情報を、セッションを確立すべきエンティティへ転送するように構成されたネットワークにおいて、前記情報は、
前記ターミナルが使用中に接続されるＡＰアクセスポイントのＭＡＣメディアアクセスコントロールアドレス；
前記ターミナルのＭＡＣアドレス；
前記ターミナルが使用中に直接的に又はＷＬＡＮアクセスポイントＡＰを経て接続される固定ラインの信号ライン識別子；及び
前記ターミナルが使用中に直接的に又はＷＬＡＮアクセスポイントＡＰを経て接続される固定ラインのスイッチ又はルーターポート番号；
の少なくとも１つを含む、ネットワーク。
【請求項１９】
前記ネットワークは、ＩＭＳネットワークである、請求項１８に記載のネットワーク。
【請求項２０】
前記エンティティは、非常センター及びＰＳＡＰの一方である、請求項１８又は１９に記載のネットワーク。
【請求項２１】
前記ネットワークは、前記アイデンティティに関連した情報を記憶するように構成された、請求項１８から２０のいずれかに記載のネットワーク。
【請求項２２】
前記情報は、接続経歴、脱落した接続経歴、及び位置情報の少なくとも１つを含む、請求項２１に記載のネットワーク。
【請求項２３】
ターミナルに関連したアイデンティティ情報を受け取り、そしてその情報を、セッションを確立すべきネットワークへ転送するように構成されたネットワーク要素において、前記情報は、
前記ターミナルが使用中に接続されるＡＰアクセスポイントのＭＡＣメディアアクセスコントロールアドレス；
前記ターミナルのＭＡＣアドレス；
前記ターミナルが使用中に直接的に又はＷＬＡＮアクセスポイントＡＰを経て接続される固定ラインの信号ライン識別子；及び
前記ターミナルが使用中に直接的に又はＷＬＡＮアクセスポイントＡＰを経て接続される固定ラインのスイッチ又はルーターポート番号；
の少なくとも１つを含む、ネットワーク要素。
【請求項２４】
前記ネットワーク要素は、アクセスポイント、スイッチ、ルーター、及び固定ラインの少なくとも１つを含む、請求項２３に記載のネットワーク要素。
【請求項２５】
前記ネットワーク要素は、前記ターミナルにより使用される前記情報の少なくとも一部分を与えて、前記アイデンティティ情報を与えるように構成された、請求項２３又は２４に記載のネットワーク要素。
【請求項２６】
非常セッションを確立する方法において、
ターミナルに関連したアイデンティティ情報を定義するステップであって、該情報が、
前記ターミナルが使用中に接続されるＡＰアクセスポイントのＭＡＣメディアアクセスコントロールアドレス；
前記ターミナルのＭＡＣアドレス；
前記ターミナルが使用中に直接的に又はＷＬＡＮアクセスポイントＡＰを経て接続される固定ラインの信号ライン識別子；及び
前記ターミナルが使用中に直接的に又はＷＬＡＮアクセスポイントＡＰを経て接続される固定ラインのスイッチ又はルーターポート番号；
の少なくとも１つを含むようなステップと、
セッションを確立すべきエンティティへ前記情報を転送するステップと、
を備えた方法。
【国際調査報告】
2008541597.tif 000006
2008541597.tif 000007
2008541597.tif 000008